(57)【要約】【課題】Ｃリングを嵌め込む溝のスペースが不要で、小型で高性能な絞りユニットおよび絞りユニットの絞り調整方法を提供すること。【解決手段】絞り羽根保持リングの外周方向に沿って光軸の方向にコの字型に突出して形成され、枠体と光軸の周りに回動可能に係合するための係合突起部を先端近傍の外径側に有した複数の腕部を備え、腕部の剛性を、光軸に垂直な面内で光軸から放射状の方向の剛性＜光軸に平行な方向の剛性＜光軸に垂直な面内で光軸を中心とした同心円方向の剛性とすることで、Ｃリングを嵌め込む溝のスペースが不要で、小型で高性能な絞りユニットおよび絞りユニットの絞り調整方法を提供することができる。【選択図】図１
2010128059.tif 000002
【特許請求の範囲】
【請求項１】
複数の絞り羽根と
中央に開口を有した円板状で、前記絞り羽根と固定軸で係合して前記絞り羽根を保持する絞り羽根保持リングと、
中央に開口を有した円板状で、前記絞り羽根と駆動軸で係合して、前記絞り羽根を前記固定軸の周りに回動させる複数のカム溝が形成された操作リングとからなる絞りモジュールと、
光軸の周りに軸対称に設けられた円筒部を有する枠体とを備えた絞りユニットにおいて、
前記絞り羽根保持リングは、前記絞り羽根保持リングの外周端位置に光軸を中心とする同心円方向に沿って前記光軸の方向にコの字型に突出して形成された複数の腕部を備え、
複数の前記腕部は、前記枠体と前記光軸の周りに回動可能に係合するための係合突起部を先端近傍の外径側に有し、
前記腕部の剛性は、
光軸に垂直な面内で光軸から放射状の方向の剛性＜光軸に平行な方向の剛性＜光軸に垂直な面内で光軸を中心とした同心円方向の剛性
であることを特徴とする絞りユニット。
【請求項２】
前記腕部の剛性は、
光軸に垂直な面内で光軸から放射状の方向の剛性をＨｍとしたときに、
光軸に平行な方向の剛性≧２Ｈｍ
かつ、
光軸に垂直な面内で光軸を中心とした同心円方向の剛性≧１００Ｈｍ
であることを特徴とする請求項１に記載の絞りユニット。
【請求項３】
前記腕部は、前記絞り羽根保持リングの外周を略等分した少なくとも３箇所に設けられたことを特徴とする請求項１または２に記載の絞りユニット。
【請求項４】
前記絞り羽根保持リングは、プラスチック材料からなることを特徴とする請求項１から３の何れか１項に記載の絞りユニット。
【請求項５】
前記腕部を前記光軸の側から前記枠体に押しつけて固定する押さえ部材を備えたことを特徴とする請求項１から４の何れか１項に記載の絞りユニット。
【請求項６】
前記押さえ部材は、レンズを保持するレンズ保持部材であることを特徴とする請求項５に記載の絞りユニット。
【請求項７】
請求項１から４の何れか１項に記載の絞りユニットの絞り調整方法であって、
前記係合突起部が前記枠体と係合した状態で、前記腕部を保持して、前記絞り羽根保持リングを前記光軸の周りに回動させる回動工程と、
複数の前記絞り羽根が形成する開口が所定の絞り値に達した状態で、前記腕部を前記枠体に固定する腕部固定工程とを備えたことを特徴とする絞りユニットの絞り調整方法。
【請求項８】
前記腕部固定工程は、請求項５または６に記載の押さえ部材を用いて前記腕部を前記枠体に固定する工程であることを特徴とする請求項７に記載の絞りユニットの絞り調整方法。
【発明の詳細な説明】
【技術分野】
【０００１】
本発明は、絞りユニットおよび絞りユニットの絞り調整方法に関し、特に絞り羽根を保持する絞り羽根保持リングを回動させて製造時の絞り開口の調整を行う絞りユニットおよび絞りユニットの絞り調整方法に関する。
【背景技術】
【０００２】
近年、カメラ等のレンズユニットは、光学性能、駆動時のレスポンス、省電力等の性能を維持あるいは向上させつつ、より小型化小径化が求められている。性能の維持あるいは向上には光学系が大型化せざるを得ず、絞り値の大口径化が求められる。一方で、小型化のためには機構部のスペースが小さくならざるを得ず、絞りユニットの外径の小径化が求められる。絞り値の調整精度の向上も求められる。
【０００３】
通常、絞りユニットやレンズを鏡胴等の固定部へ組み込んで初期位置の調整を行ってから固定するには、Ｃリングを用いて絞りユニットやレンズを固定部に対して付勢保持した状態で、絞り値やレンズ位置の初期位置調整等を行った上で、絞りユニットやレンズとＣリングとを固定部に一体で接着するという方法がとられる。
【０００４】
例えば、特許文献１の第２図には、絞りユニットの絞り押え環（２）をＣリングで付勢保持している例が示されている。また、特許文献２の図８には、従来例としてレンズ１０３を保持するためのＣリング１１３が示されている。同様に、特許文献３の図１には、前部３群レンズ１５を前部３群鏡筒１６に止めるためのＣリング１７が示されている。
【０００５】
特許文献１のように絞りユニットをＣリングで付勢保持する方法の１例を、図７に模式的に示す。図７は、絞りユニットをＣリングで付勢保持する方法の１例を示す模式図で、絞りユニット７００の光軸Ｌに平行な面で切った断面図の光軸Ｌから上の部分だけを示したものである。
【０００６】
図７において、絞りユニット７００は、固定部７０１の内部に挿入された絞り押え環７１１と絞り駆動環７１２とで絞り羽根７１３を挟み込む構成である。絞り羽根７１３は、絞り軸７１４で絞り押え環７１１と係合し、絞り駆動軸７１５で絞り駆動環７１２に設けられた図示しない絞り駆動カムと係合している。
【０００７】
絞り押え環７１１は、固定部７０１に設けられた溝７０３に嵌め込まれたＣリング７０５で図の右方向に付勢保持される。絞りユニット７００の絞り値調整は、絞り駆動環７１２に対して絞り押え環７１１を図の紙面垂直方向に回動させることで行われる。絞り値調整完了後、Ｃリング７０５と絞り押え環７１１とは、接着剤７０７で固定部７０１に固定される。
【０００８】
上述した絞り値の初期位置調整については、例えば特許文献４の第１図に、偏心ピン６３を用いて、羽根押さえリング２８を基板２１に対して円周方向に回動させることで、絞り羽根４６を移動させて所望の絞り値に調整する方法が示されている。羽根押さえリング２８は、可撓性の爪２６で基板２１にフリクションを与えられて係止されており、偏心ピン６３を回すことで基板２１に対して円周方向に回動可能となっている。
【特許文献１】特許第２７１２１５２号公報
【特許文献２】特開平１０−３０１０１０号公報
【特許文献３】特開２０００−７５１８６号公報
【特許文献４】実開平４−１３９３１号公報
【発明の開示】
【発明が解決しようとする課題】
【０００９】
しかしながら、特許文献１から３に示された方法と同様に、絞りユニット７００をＣリング７０５で付勢保持する方法では、図７に示すように、固定部７０１にＣリング７０５を嵌め込む溝７０３が全周必要となり、溝７０３のスペースを確保するために、固定部７０１が絞りユニット７００の径方向に大きくなってしまう。
【００１０】
また、特許文献４に示された方法でも、絞りユニット上に偏心ピンによる調整機構を設けるスペースが必要で、その分絞りユニット７００が大きくなってしまうという課題がある。
【００１１】
本発明は、上記事情に鑑みてなされたもので、Ｃリングを嵌め込む溝のスペースが不要で、小型で高性能な絞りユニットおよび絞りユニットの絞り調整方法を提供することを目的とする。
【課題を解決するための手段】
【００１２】
本発明の目的は、下記構成により達成することができる。
【００１３】
１．複数の絞り羽根と
中央に開口を有した円板状で、前記絞り羽根と固定軸で係合して前記絞り羽根を保持する絞り羽根保持リングと、
中央に開口を有した円板状で、前記絞り羽根と駆動軸で係合して、前記絞り羽根を前記固定軸の周りに回動させる複数のカム溝が形成された操作リングとからなる絞りモジュールと、
光軸の周りに軸対称に設けられた円筒部を有する枠体とを備えた絞りユニットにおいて、
前記絞り羽根保持リングは、前記絞り羽根保持リングの外周端位置に光軸を中心とする同心円方向に沿って前記光軸の方向にコの字型に突出して形成された複数の腕部を備え、
複数の前記腕部は、前記枠体と前記光軸の周りに回動可能に係合するための係合突起部を先端近傍の外径側に有し、
前記腕部の剛性は、
光軸に垂直な面内で光軸から放射状の方向の剛性＜光軸に平行な方向の剛性＜光軸に垂直な面内で光軸を中心とした同心円方向の剛性
であることを特徴とする絞りユニット。
【００１４】
２．前記腕部の剛性は、
光軸に垂直な面内で光軸から放射状の方向の剛性をＨｍとしたときに、
光軸に平行な方向の剛性≧２Ｈｍ
かつ、
光軸に垂直な面内で光軸を中心とした同心円方向の剛性≧１００Ｈｍ
であることを特徴とする前記１に記載の絞りユニット。
【００１５】
３．前記腕部は、前記絞り羽根保持リングの外周を略等分した少なくとも３箇所に設けられたことを特徴とする前記１または２に記載の絞りユニット。
【００１６】
４．前記絞り羽根保持リングは、プラスチック材料からなることを特徴とする前記１から３の何れか１項に記載の絞りユニット。
【００１７】
５．前記腕部を前記光軸の側から前記枠体に押しつけて固定する押さえ部材を備えたことを特徴とする前記１から４の何れか１項に記載の絞りユニット。
【００１８】
６．前記押さえ部材は、レンズを保持するレンズ保持部材であることを特徴とする前記５に記載の絞りユニット。
【００１９】
７．前記１から４の何れか１項に記載の絞りユニットの絞り調整方法であって、
前記係合突起部が前記枠体と係合した状態で、前記腕部を保持して、前記絞り羽根保持リングを前記光軸の周りに回動させる回動工程と、
複数の前記絞り羽根が形成する開口が所定の絞り値に達した状態で、前記腕部を前記枠体に固定する腕部固定工程とを備えたことを特徴とする絞りユニットの絞り調整方法。
【００２０】
８．前記腕部固定工程は、前記５または６に記載の押さえ部材を用いて前記腕部を前記枠体に固定する工程であることを特徴とする前記７に記載の絞りユニットの絞り調整方法。
【発明の効果】
【００２１】
本発明によれば、絞り羽根保持リングの外周方向に沿って光軸の方向にコの字型に突出して形成され、枠体と光軸の周りに回動可能に係合するための係合突起部を先端近傍の外径側に有した複数の腕部を備え、腕部の剛性を、光軸に垂直な面内で光軸から放射状の方向の剛性＜光軸に平行な方向の剛性＜光軸に垂直な面内で光軸を中心とした同心円方向の剛性とすることで、Ｃリングを嵌め込む溝のスペースが不要で、小型で高性能な絞りユニットおよび絞りユニットの絞り調整方法を提供することができる。
【発明を実施するための最良の形態】
【００２２】
以下、本発明を図示の実施の形態に基づいて説明するが、本発明は該実施の形態に限らない。なお、図中、同一あるいは同等の部分には同一の番号を付与し、重複する説明は省略する。
【００２３】
最初に、本発明における絞りユニットの実施の形態について、図１および図２を用いて説明する、図１は、本発明における絞りユニットの実施の形態を被写体側から見た正面図で、図２は、図１のＡ−Ａ’断面図である。
【００２４】
まず、図１に示した方向を示す符号について説明する。光軸Ｌに平行な方向をＺ方向とし、被写体側（図の紙面手前）から結像面（図の紙面奥）に向かう方向を正方向とする。また、光軸Ｌに垂直な面内で光軸Ｌから放射状の方向をＭ方向（光軸から外向きを正方向）とし、光軸Ｌを中心とした同心円方向をＳ方向（被写体側から見て時計回りを正方向）とする。
【００２５】
次に、図１において、絞りユニット１は、絞りモジュール２と枠体１０とで構成され、絞りモジュール２は、絞り羽根保持リング２０、操作リング３０および９枚の絞り羽根４０等で構成される。枠体１０は、例えばレンズ鏡胴であり、光軸Ｌの周りに軸対称の円筒部１１を有し、円筒部１１には、後述する絞り羽根保持リング２０の係合突起部２３１と係合するための凹部１３１が、円周をほぼ３等分する位置に設けられている。凹部１３１のＳ方向の幅は、係合突起部２３１のＳ方向の幅よりも大きくなっているので、腕部２３と凹部１３１とはＳ方向に回動可能に係合することができる。
【００２６】
絞り羽根４０は、本実施の形態では９枚用いられ、図示するような形状とすることで、全開から小絞りまで略円形の絞り開口形状を実現することができる。ただし、図が煩雑になるため、図１には絞り羽根４０は１枚のみ示してある。絞り羽根４０には、絞り込まれる際の回動中心となる固定軸４１と、同じく絞り込まれる際の駆動軸４３とが、例えばプレスやカシメ等により形成されている。
【００２７】
なお、絞り羽根４０の枚数および形状は、絞りユニットに求められる仕様に基づいて適宜決定されればよい。また、固定軸４１が絞り羽根保持リング２０に設けられ、絞り羽根４０には固定穴２１が設けられている構成でもよい。駆動軸４３についても同様で、駆動軸４３が操作リング３０に設けられ、絞り羽根４０にはカム溝３１が設けられている構成でもよい。
【００２８】
絞り羽根保持リング２０は、例えばプラスチック材料等からなり、中央に被写体からの光が通過する開口を有した円板状をしており、絞り羽根４０の枚数に合わせて、円周を９等分する位置に、絞り羽根４０の固定軸４１と係合して絞り羽根４０の回動中心となる固定穴２１が設けられている。
【００２９】
また、絞り羽根保持リング２０の外周端には、Ｓ方向に沿って図の紙面手前方向にコの字型に突出した腕部２３が形成されている。腕部２３には、円筒部１１の凹部１３１とＳ方向に回動可能に係合するための係合突起部２３１が、円周をほぼ３等分する位置に設けられている。腕部２３については、図３で詳述する。
【００３０】
なお、凹部１３１および腕部２３は、円周をほぼ３等分する位置に設けられるに限るものではなく、４つ以上設けられてもよいし、例えばＳ方向に幅広に形成すれば、円周をほぼ２等分する位置に設けられてもよい。
【００３１】
操作リング３０は、絞り羽根保持リング２０と同様に、中央に被写体からの光が通過する開口を有した円板状をしており、絞り羽根４０の枚数に合わせて、円周を９等分する位置に、絞り羽根４０の駆動軸４３と係合して絞り羽根４０の回動させるためのカム溝３１が設けられている。
【００３２】
絞り値の制御は、図の紙面奥側に突き出た操作レバー３３が、例えばカメラ側の駆動機構によってＳ方向に回動されることで、操作リング３０をＳ方向に回動させ、絞り羽根４０の駆動軸４３と係合したカム溝３１によって絞り羽根４０が固定軸４１の周りに回動されることで行われる。
【００３３】
本実施の形態では、上述した絞り値の初期位置調整は、絞り開口が所定の絞り値、例えば開放絞り値から露出値で１Ｅｖ絞り込んだ値になるように、図示しない調整治具を用いて、絞り羽根保持リング２０を操作リング３０に対してＳ方向に回動させて行われる。調整治具は、上述した腕部２３を保持した状態で光軸Ｌを中心に回動することで、羽根保持リング２０を操作リング３０に対してＳ方向に回動させる。調整治具による腕部２３の保持方法については、図４で説明する。
【００３４】
図２において、操作リング３０と絞り羽根保持リング２０とは、絞り羽根保持リング２０に複数個設けられた係合爪２７により、スナップフィット結合（所謂パッチン嵌め）で係合されており、Ｓ方向に回動可能である。絞り羽根４０は、絞り羽根保持リング２０と操作リング３０とで形成された羽根室２５内に収納されている。枠体１０は開口部１９を有し、絞り羽根保持リング２０は絞り開口部２９を有し、操作リング３０は絞り開口部３９を有している。絞り羽根保持リング２０、操作リング３０および絞り羽根４０は、絞りモジュール２を構成している。
【００３５】
腕部２３は、Ｍ方向およびＺ方向に弾性を有しており、腕部２３の係合突起部２３１と円筒部１１の凹部１３１とは、スナップフィット結合で係合し、枠体１０と絞りモジュール２とは腕部２３の弾性で係合され、固定される。上述した絞り値の初期位置調整完了後、腕部２３は、例えば腕部２３のＺ方向の剛性が高い場合、あるいはＺ方向に弾性を有している場合であっても、必要に応じて、円筒部１１に例えば接着剤１３によって固定される。
【００３６】
次に、絞り羽根保持リング２０の腕部２３について、図３を用いて説明する。図３は、腕部２３の形状を示す模式図で、図３（ａ）はＺ方向から見た正面図、図３（ｂ）はＭ方向から見た上面図、図３（ｃ）は図３（ｂ）のＢ−Ｂ’断面図である。
【００３７】
図３（ａ）、（ｂ）および（ｃ）において、腕部２３は、絞り羽根保持リング２０の外周端のＳ方向に沿って−Ｚ方向に突出した２本の凸部２３３が形成され、２本の凸部２３３の先端付近を中央部がやや幅広になったブリッジ部２３５が繋いで、中央に開口部２３７を有するコの字型に形成されている。ブリッジ部２３５のやや幅広の中央部には、円筒部１１の凹部１３１とＳ方向に回動可能に係合するための係合突起部２３１が、Ｍ方向に突出して設けられている。
【００３８】
ブリッジ部２３５のＺ方向の幅をｄｚ、Ｍ方向の厚みをｄｍ、凸部２３３のＳ方向の幅をｄｓとすると、ｄｍ＜ｄｚ＜ｄｓである。一例として、ｄｍ＝０．５ｍｍ、ｄｚ＝１．１ｍｍ、ｄｓ＝１．５ｍｍである。また、係合突起部２３１のＭ方向の高さ＝０．２ｍｍである。この関係と、腕部２３がコの字型に形成されていることから、腕部２３の剛性は、光軸に垂直な方向（Ｍ方向）の剛性Ｈｍ＜光軸に平行な方向（Ｚ方向）の剛性Ｈｚ＜光軸を中心とする同心円方向（Ｓ方向）の剛性Ｈｓ、であり、好ましくは、Ｈｚ≧２Ｈｍ、かつ、Ｈｓ≧１００Ｈｍである。
【００３９】
なお、上述した剛性とは、所定の変位量（例えば０．１ｍｍ）だけ変位させるのに必要な力量であり、例えば、上述した例で、ヤング率を２，４００ＭＰａとした場合、ブリッジ部２３５の係合突起部２３１近傍のＭ方向の剛性Ｈｍは約１Ｎであり、Ｚ方向の剛性Ｈｚは約２．２Ｎである。
【００４０】
次に、上述した調整治具による腕部２３の保持方法について、図４を用いて説明する。図４は、調整治具による腕部２３の保持方法を説明するための模式図である。
【００４１】
図４において、調整治具５０は、円筒部１１に内接する円筒形で、３箇所の腕部２３に対向する位置に、腕部２３の凸部２３３と係合する３箇所の切欠部５１を有している。
【００４２】
そして、切欠部５１と腕部２３の凸部２３３とが係合された状態で、調整治具５０がＳ方向に回動されることで、絞り羽根保持リング２０が操作リング３０に対してＳ方向に回動され、図に破線で示した円筒部１１の凹部１３１のＳ方向の範囲内で、上述した絞り値の初期位置調整を行うことができる。この時、操作レバー３３が回動しないように、例えば図示しない固定治具等により、操作レバー３３は所定の位置に固定されている。
【００４３】
上述したように、腕部２３のＳ方向の剛性Ｈｓは、Ｍ方向の剛性ＨｍおよびＺ方向の剛性Ｈｚに対して充分大きいので、調整治具５０の切欠部５１と腕部２３の凸部２３３とが係合された状態で調整治具５０がＳ方向に回動されても、腕部２３がＳ方向に変形することはなく、調整治具５０のＳ方向への回動に追従して、絞り羽根保持リング２０をＳ方向に回動させることができる。従って、上述した絞り値の初期位置調整を正確に行うことができる。
【００４４】
次に、本発明の実施の形態における絞りユニットの組立調整方法について、図５を用いて説明する。図５は、本発明の実施の形態における絞りユニット１の組立調整方法を示す工程図である。
【００４５】
図５において、ステップＳ１１（絞り羽根組込工程）で、絞り羽根保持リング２０の固定穴２１と絞り羽根４０の固定軸４１とが係合するようにして、９枚の絞り羽根４０が絞り羽根保持リング２０に組み込まれる。
【００４６】
続いて、ステップＳ１２（操作リング組込工程）で、９枚の絞り羽根４０の駆動軸４３と操作リング３０の９個のカム溝３１とが係合するようにして、操作リング３０が絞り羽根保持リング２０の上に組み込まれ、絞り羽根保持リング２０に複数個設けられた係合爪２７により、操作リング３０と絞り羽根保持リング２０とがスナップフィット結合で係合される。ここに、ステップＳ１１とＳ１２とは、絞りモジュール２の組立工程である。
【００４７】
次に、ステップＳ１３（絞り部組込工程）で、絞りモジュール２が枠体１０の中の所定の位置に挿入され、絞り羽根保持リング２０の腕部２３の係合突起部２３１が、枠体１０の円筒部１１の凹部１３１と係合される。
【００４８】
上述したように、腕部２３のＭ方向の剛性ＨｍおよびＺ方向の剛性Ｈｚは小さいので、絞り部２を枠体１０の中に挿入する際には、係合突起部２３１が−Ｍ方向に撓んで容易に挿入することができる。所定の位置に挿入されると、係合突起部２３１が＋Ｍ方向に戻り、円筒部１１の凹部１３１とスナップフィット結合で係合する。一度スナップフィット結合で係合すると、腕部２３のＺ方向の剛性Ｈｚによって、係合がＺ方向に外れにくくなり、絞りモジュール２が枠体１０の中に固定される。ここに、ステップＳ１３は、絞りユニット１の組立工程である。
【００４９】
続いて、ステップＳ１４（調整治具挿入工程）で、調整治具５０が、切欠部５１が腕部２３の凸部２３３と係合するように、枠体１０の中に挿入される。ステップＳ１５（絞り羽根保持リング回動工程）で、調整治具５０がＳ方向に回動されることで、絞り羽根保持リング２０がＳ方向に回動されて、絞り羽根４０が固定軸４１の周りに回動され、絞り開口の大きさが変化する。この時、操作リング３０が回動しないように、操作レバー３３は固定されている。
【００５０】
絞り開口の大きさが所定の調整値（例えば開放絞り値から１Ｅｖ絞り込んだ値）になったところで調整治具５０の回動が停止され、ステップＳ１６（腕部固定工程）で、図２に示したように、腕部２３が接着により円筒部１１に固定され、一連の工程が終了される。ここに、ステップＳ１４からＳ１６までは、絞りユニット１の絞り調整工程である。
【００５１】
絞り開口の大きさの検出は、例えば光源と光量モニタとを用いて、絞り開口を通過した光量をモニタする方法や、例えば平行光とエリア撮像素子とを用いて絞り開口の径を直接モニタする方法等があり、適宜選択されればよい。
【００５２】
なお、上述した例では絞りモジュール２は、操作リング３０と絞り羽根保持リング２０とをスナップフィット結合で係合するとしたが、これに限るものではなく、例えば、絞り羽根保持リング２０はスナップフィット結合のための係合爪２７を持たず、絞り羽根４０を組み込んだ操作リング３０と絞り羽根保持リング２０とを、組込治具で操作リング３０側と絞り羽根保持リング２０側から挟み込んで一体化して枠体１０の中に挿入し、係合突起部２３１と円筒部１１の凹部１３１とをスナップフィット結合で係合させた後に、組込治具を外す等のやり方でもよい。
【００５３】
組込治具は、例えば操作リング３０側の治具１と、絞り羽根保持リング２０側の治具２とで構成されている。治具１は枠体１０の開口部１９に挿入できるように開口部１９よりも細い径であり、治具２は枠体１０の円筒部１１に挿入できるように、円筒部１１の径よりも細い径である。そして、治具１と治具２とは操作リング３０の絞り開口部３９と絞り羽根保持リング２０の絞り開口部２９とを介して、例えば磁力で結合される。
【００５４】
１例として、治具１の治具２との接合面は鉄やステンレスのような磁性体でできており、治具２の治具１との接合面には永久磁石あるいは電磁石が組み込まれている。組込治具で挟み込まれた絞りモジュール２を枠体１０に挿入して円筒部１１にスナップフィット結合で係合させた後に、治具１の治具２との接合を光軸Ｌ方向に引っ張って引き離すか、電磁石の通電を停止して分離する。
【００５５】
また、例えば操作リング３０を鉄やステンレスのような磁性体で形成しておき、絞り羽根保持リング２０を介して磁力で吸着する方法も考えられる。この方法であれば、組込治具は、絞り羽根保持リング２０側の、永久磁石あるいは電磁石が組み込まれた治具２のみでよい。
【００５６】
上述したように、本発明の実施の形態によれば、絞り羽根保持リングの外周のＳ方向に沿って、操作リングから絞り羽根保持リングに向かう方向にコの字型に突出して形成され、先端近傍に係合突起部を有する複数の腕部を備え、腕部の剛性を、Ｍ方向の剛性＜Ｚ方向の剛性＜Ｓ方向の剛性とすることで、Ｃリングを嵌め込む溝のスペースが不要となり、小型で高性能な絞りユニットおよび絞りユニットの絞り調整方法を提供することができる。
【００５７】
次に、上述した絞り値の初期位置調整後の、絞り羽根保持リング２０と円筒部１１との固定方法の別法について、図６を用いて説明する。図６は、絞り羽根保持リング２０と円筒部１１との固定方法の別法について説明するための模式図である。
【００５８】
図２では、腕部２３は、円筒部１１に例えば接着剤１３によって固定されるとしたが、図６においては、接着を行わない。その代わりに、絞り値の初期位置調整が完了した後、絞り羽根保持リング２０と円筒部１１とは、腕部２３が押さえ部材６０によって円筒部１１に押しつけられることで固定される。
【００５９】
押さえ部材６０は、腕部２３に光軸Ｌの側から当接するための窪み部６１を有している。さらに、押さえ部材６０は、絞りユニット１に取り付けられるレンズ７０を保持するレンズ保持部材６０であり、その一部が押さえ部材を兼ねている。
【００６０】
このように、押さえ部材を兼ねるレンズ保持部材６０を用いることで、接着を行うことなく、押さえ部材も別に設けることなく、絞り羽根保持リング２０を円筒部１１に固定することができ、工程や部品点数の削減が行える。
【００６１】
なお、上述した絞り羽根保持リング２０と円筒部１１との固定方法の別法を用いる場合には、図５に示した絞りユニット１の組立調整方法のステップＳ１６（腕部固定工程）で、接着の代わりに、図６に示したように、押さえ部材を兼ねるレンズ保持部材６０により腕部２３を円筒部１１に押しつけることで固定すればよい。
【００６２】
なお、図６では、レンズ保持部材６０は、絞りユニット１に取り付けられるレンズ７０を保持するものであるとしたが、レンズ保持部材６０はこれに限定される必要はなく、その一部が腕部２３を円筒部１１に押しつける押さえ部材の機能を兼ねさえすれば、レンズユニットのどこに取り付けられるものであってもよい。
【００６３】
以上に述べたように、本発明によれば、絞り羽根保持リングの外周方向に沿って光軸の方向にコの字型に突出して形成され、枠体と光軸の周りに回動可能に係合するための係合突起部を先端近傍の外径側に有した複数の腕部を備え、腕部の剛性を、光軸に垂直な面内で光軸から放射状の方向の剛性＜光軸に平行な方向の剛性＜光軸に垂直な面内で光軸を中心とした同心円方向の剛性とすることで、Ｃリングを嵌め込む溝のスペースが不要で、小型で高性能な絞りユニットおよび絞りユニットの絞り調整方法を提供することができる。
【００６４】
なお、本発明に係る絞りユニットおよび絞りユニットの絞り調整方法を構成する各構成の細部構成および細部動作に関しては、本発明の趣旨を逸脱することのない範囲で適宜変更可能である。
【図面の簡単な説明】
【００６５】
【図１】本発明における絞りユニットの実施の形態を被写体側から見た正面図である。
【図２】図１のＡ−Ａ’断面図である。
【図３】腕部の形状を示す模式図である。
【図４】調整治具による腕部の保持方法を説明するための模式図である。
【図５】絞りユニットの組立調整方法を示す工程図である。
【図６】絞り羽根保持リングと円筒部との固定方法の別法について説明するための模式図である。
【図７】絞りユニットをＣリングで付勢保持する方法の１例を示す模式図である。
【符号の説明】
【００６６】
１  絞りユニット
２  絞りモジュール
１０  枠体
１１  円筒部
１３１  凹部
１９  （枠体１０の）開口部
２０  絞り羽根保持リング
２１  固定穴
２３  腕部
２３１  係合突起部
２３３  凸部
２３５  ブリッジ部
２３７  開口部
２５  羽根室
２７  係合爪
２９  （絞り羽根保持リング２０の）絞り開口部
３０  操作リング
３１  カム溝
３３  操作レバー
３９  （操作リング３０の）絞り開口部
４０  絞り羽根
４１  固定軸
４３  駆動軸
５０  調整治具
５１  切欠部
６０  （押さえ部材を兼ねる）レンズ保持部材
７０  （絞りユニット１に取り付けられる）レンズ
Ｌ  光軸
【図１】
2010128059.tif 000003
【図２】
2010128059.tif 000004
【図３】
2010128059.tif 000005
【図４】
2010128059.tif 000006
【図５】
2010128059.tif 000007
【図６】
2010128059.tif 000008
【図７】
2010128059.tif 000009